(57)【要約】【課題】端子収容室の隔壁を薄くしながら、更に端子の誤挿入検知の機能を実現できる、端子とハウジングの組付構造を提供すること。【解決手段】端子とハウジングとの組付構造は、複数の端子収容室１１を有するハウジング１０と、端子収容室１１へ挿入されて収容される端子２０と、を備える。ハウジング１０は、複数の端子収容室１１の少なくとも１つの内壁に、端子２０の挿入方向に延びる断面形状が三角形である少なくとも２つの溝部１５，１６を、前記挿入方向に沿って並ぶように有する。端子２０は、端子２０の少なくとも１つの外壁に、前記挿入方向に延びる溝部１５，１６の断面形状に対応した断面形状を有する少なくとも２つの突条２２，２３を、前記挿入方向に沿って並ぶように有する。【選択図】図３
2020035543.tif 000002
【特許請求の範囲】
【請求項１】
複数の端子収容室を有するハウジングと、前記端子収容室へ挿入されて収容される端子と、を備えた、端子とハウジングとの組付構造であって、
前記ハウジングは、
前記複数の前記端子収容室の少なくとも１つの内壁に、前記端子の挿入方向に延びる断面形状が三角形である少なくとも２つの溝部を、前記挿入方向に沿って並ぶように有し、
前記端子は、
当該端子の少なくとも１つの外壁に、前記挿入方向に延びる前記溝部の断面形状に対応した断面形状を有する少なくとも２つの突条を、前記挿入方向に沿って並ぶように有する、
端子とハウジングとの組付構造。
【請求項２】
請求項１に記載の組付構造において、
前記少なくとも２つの突条の前記挿入方向における長さは、前記端子の前記挿入方向における長さよりも短く、
前記少なくとも２つの突条は、
前記挿入方向における異なる位置に配置される、
端子とハウジングとの組付構造。
【請求項３】
複数の端子収容室を有するハウジングと、前記端子収容室へ挿入されて収容される端子と、を備えた端子付きハウジングであって、
請求項１又は請求項２に記載の組付構造によって前記端子収容室へ前記端子が収容されている、
端子付きハウジング。
【発明の詳細な説明】
【技術分野】
【０００１】
本発明は、端子とハウジングの組付構造、及び、端子付きハウジングに関する。
【背景技術】
【０００２】
従来から、ハウジングの端子収容室に端子を挿入するにあたり、端子の誤挿入を検知する仕組みが知られている（例えば、特許文献１を参照）。特許文献１では、具体的には、端子（メス端子）の箱状部の前端部に、箱状部から縦方向の一方の側に突出する突出部が設けられ、ハウジングの端子収容室に、端子の箱状部が挿入される端子箱状部挿入部と、端子の突出部が挿入される端子突出部挿入部とが設けられている。これにより、端子収容室への端子の挿入を開始するときに、端子の逆挿入（誤った姿勢での端子の挿入）を検知することができるようになっている。
【先行技術文献】
【特許文献】
【０００３】
【特許文献１】特開２０１５−０２２７９７号公報
【発明の概要】
【発明が解決しようとする課題】
【０００４】
ところで、ハウジングの小型化の要請から、隣接する端子収容室の間の隔壁の厚さは薄くなる傾向がある。しかし、隔壁を過度に薄くした場合、誤挿入検知機能つきの端子とハウジングの組付構造に限らないが、端子収容室の隔壁に端子が強く接触すると、隔壁が破損し、隣接する端子同士が導通（ショート）するような不具合が生じる懸念がある。
【０００５】
本発明は、上述した事情に鑑みてなされたものであり、その目的は、端子収容室の隔壁を薄くしながら、更に端子の誤挿入検知の機能を実現できる、端子とハウジングの組付構造、及び、端子付きハウジングを提供することにある。
【課題を解決するための手段】
【０００６】
前述した目的を達成するために、本発明に係る端子とハウジングの組付構造、及び、端子付きハウジングは、下記［１］〜［３］を特徴としている。
［１］
複数の端子収容室を有するハウジングと、前記端子収容室へ挿入されて収容される端子と、を備えた、端子とハウジングとの組付構造であって、
前記ハウジングは、
前記複数の前記端子収容室の少なくとも１つの内壁に、前記端子の挿入方向に延びる断面形状が三角形である少なくとも２つの溝部を、前記挿入方向に沿って並ぶように有し、
前記端子は、
当該端子の少なくとも１つの外壁に、前記挿入方向に延びる前記溝部の断面形状に対応した断面形状を有する少なくとも２つの突条を、前記挿入方向に沿って並ぶように有する、
端子とハウジングとの組付構造であること。
［２］
上記［１］に記載の組付構造において、
前記少なくとも２つの突条の前記挿入方向における長さは、前記端子の前記挿入方向における長さよりも短く、
前記少なくとも２つの突条は、
前記挿入方向における異なる位置に配置される、
端子とハウジングとの組付構造であること。
［３］
複数の端子収容室を有するハウジングと、前記端子収容室へ挿入されて収容される端子と、を備えた端子付きハウジングであって、
上記［１］又は上記［２］に記載の組付構造によって前記端子収容室へ前記端子が収容されている、
端子付きハウジングであること。
【０００７】
上記（１）の構成の組付構造によれば、端子収容室への端子の挿入時、端子の突条が端子収容室の溝部に案内されることにより、端子の誤挿入が抑制される。仮に、端子収容室の高さ方向の上方内壁に溝部が設けられる場合、端子が端子収容室の幅方向にズレたとしても、溝部の三角形状の内壁と、端子の突条の三角形状の外壁と、の係り合いにより、端子が端子収容室の高さ方向に変位し、端子収容室の下方内壁に端子の下方外壁が押し付けられる。その結果、端子の幅方向へのズレが抑制または修正され、端子が端子収容室の隔壁に接触しにくくなる。よって、端子収容室の隔壁を薄くしながら、更に端子の誤挿入検知の機能を実現できる。
【０００８】
上記（２）の構成の組付構造によれば、端子が挿入方向における異なる位置に突条を有することで、端子収容室の溝部に突条が入り込むタイミングを、突条ごとに異ならせることができる。このため、全ての突条が全ての溝部に同時に入り込む場合に比べ、挿入開始時点に許容できる端子の傾きを大きくできる。よって、端子収容室への端子の挿入が容易になる。
【０００９】
上記（３）の構成の端子付きハウジングによれば、端子収容室への端子の挿入時、端子の突条が端子収容室の溝部に案内されることにより、端子の誤挿入が抑制される。仮に、端子収容室の高さ方向の上方内壁に溝部が設けられる場合、端子が端子収容室の幅方向にズレたとしても、溝部の三角形状の内壁と、端子の突条の三角形状の外壁と、の係り合いにより、端子が端子収容室の高さ方向に変位し、端子収容室の下方内壁に端子の下方外壁が押し付けられる。その結果、端子の幅方向へのズレが抑制または修正され、端子が端子収容室の隔壁に接触しにくくなる。よって、端子収容室の隔壁を薄くしながら、更に端子の誤挿入検知の機能を実現できる。
【発明の効果】
【００１０】
本発明によれば、端子収容室の隔壁を薄くしながら、更に端子の誤挿入検知の機能を実現できる、端子とハウジングの組付構造、及び、端子付きハウジングを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１（ａ）は、本実施形態に係る端子とハウジングとの組付構造におけるハウジングの斜視図であり、図１（ｂ）は、同組付構造における端子の斜視図である。
【図２】図２（ａ）は、ハウジングの端子収容室の拡大図であり、図２（ｂ）は、図２（ａ）における２つの溝部の周囲の拡大図である。
【図３】図３（ａ）は、ハウジングの端子収容室に端子が正常に挿入された状態を示す断面図であり、図３（ｂ）は、図３（ａ）における、２つの溝部及び２つの突条の周囲の拡大図であり、図３（ｃ）は、図３（ａ）における、端子収容室の下方内壁の周囲の拡大図である。
【図４】図４（ａ）は、ハウジングの端子収容室に端子が左方向にズレて挿入された状態における図３（ａ）に対応する断面図であり、図４（ｂ）は、ハウジングの端子収容室に端子が傾いて挿入された状態における図３（ａ）に対応する断面図である。
【発明を実施するための形態】
【００１３】
＜実施形態＞
以下、図面を参照しながら、本発明の実施形態に係る「端子とハウジングとの組付構造」（端子付きハウジング）について説明する。
【００１４】
図１に示すように、本発明の実施形態に係る「端子とハウジングとの組付構造」（端子付きハウジング）は、ハウジング１０と、ハウジング１０に収容される端子２０とを備える。以下、説明の便宜上、図１に示すように、前後方向、上下方向、幅方向、前、後、上、下、左、右を定義する。前後方向、上下方向、及び幅方向は互いに直交している。前後方向は、ハウジング１０と相手側ハウジングとの嵌合方向に一致しており、嵌合方向正面側（相手側コネクタに近づく側）が前側に対応し、嵌合方向解除側（相手側コネクタから遠ざかる側）が後側に対応している。前後方向は、端子２０のハウジング１０への挿入方向にも一致している。また、以下、断面形状とは、前後方向に直交する断面の形状を指すものとする。
【００１５】
先ず、ハウジング１０について説明する。図１（ａ）に示すように、樹脂製のハウジング１０は、本例では、直方体状の形状を有する。ハウジング１０には、前後方向に貫通する複数の端子収容室１１が、上下方向に複数段（本例では、３段）で幅方向に並ぶように形成されている。図２（ａ）に示すように、各端子収容室１１の断面形状は、大略的には、上下方向に延びる一対の側壁１２と、幅方向に延びる上壁１３と、幅方向に延びる下壁１４とで囲まれた縦長の矩形状（上下方向寸法が幅方向寸法より大きい矩形状）である。図２（ａ）から理解できるように、側壁１２は、幅方向に隣接する端子収容室１１を仕切る仕切壁としても機能している。側壁１２の厚さ（幅方向の寸法）を「ｔ」とする。
【００１６】
図２（ａ）に示すように、各端子収容室１１の上壁１３の内面（下面）には、前後方向に延びる断面形状が三角形である２つの溝部１５，１６が、幅方向全域に亘って幅方向に並んで設けられている。具体的には、図２（ｂ）に示すように、溝部１５は、左側の斜面１５ａと右側の斜面１５ｂとで構成され、溝部１６は、左側の斜面１６ａと右側の斜面１６ｂとで構成されている。溝部１５，１６はそれぞれ、ハウジング１０の前端近傍から後端までに亘って前後方向に延びている。
【００１７】
更に、図２（ａ）に示すように、各端子収容室１１の下壁１４の内面（上面）の左端部には、断面形状が矩形であるランス収容溝１７が設けられている。ランス収容溝１７は、本例では、ハウジング１０の前端近傍部分のみにおいて前後方向に延びている。以上、ハウジング１０について説明した。
【００１８】
次いで、端子２０について説明する。図１（ｂ）に示すように、端子２０（メス端子）は、１枚の金属板にプレス加工及び曲げ加工等の機械加工を施すことで形成されている。端子２０は、角筒状の箱状部２１を備える。箱状部２１は、相手側ハウジングに収容されたオス端子を挿入して当該オス端子と電気的に接続する機能を果たす。角筒状の箱状部２１の断面形状は、端子収容室１１の上述した縦長の矩形状に対応する矩形状を有している。また、図１（ｂ）には図示していないが、実際には、箱状部２１の後端側には、電線（図示省略）の端部を加締め固定するための加締め固定部が接続されている。
【００１９】
箱状部２１の上壁の外面（上面）には、前端部の左側部分にて、前後方向に延びると共に、溝部１５の断面形状に対応した三角形の断面形状を有する突条２２が、溝部１５に対応する位置に設けられ、後端部の右側部分にて、前後方向に延びると共に、溝部１６の断面形状に対応した三角形の断面形状を有する突条２３が、溝部１６に対応する位置に設けられている。具体的には、突条２２は、左側の斜面２２ａと右側の斜面２２ｂとで構成され、突条２３は、左側の斜面２３ａと右側の斜面２３ｂとで構成されている。このように、突条２２，２３それぞれの前後方向長さは、端子２０の箱状部２１の前後方向長さよりも短く、突条２２，２３は、箱状部２１の前後方向における異なる位置に配置されている。
【００２０】
更に、図１（ｂ）には図示していないが、実際には、箱状部２１の下壁の外面（下面）の前端近傍部分の左端部には、ランス（具体的には、箱状部２１の前端部から下方且つ後方に斜めに延びる片持ち梁状の切り起こし片）が、ランス収容溝１７に対応する位置に設けられている。以上、端子２０について説明した。
【００２１】
端子２０は、ハウジング１０の後端側から、図３（ａ）に示すように、端子２０の突条２２，２３が端子収容室１１の溝部１５，１６にそれぞれ案内されるように、且つ、ランスが弾性変形されながら、端子収容室１１に挿入される。ここで、端子２０が上下逆向きの状態（突条２２，２３が下方に突出する状態）、並びに、端子２０が横向きの状態（突条２２，２３が幅方向に突出する状態）では、端子２０の箱状部２１の前端面の一部とハウジング１０の後端面の一部とが干渉することで、端子２０が端子収容室１１に挿入できない。これにより、端子２０の誤挿入が抑制される。
【００２２】
端子２０が端子収容室１１における前後方向の正規位置まで挿入されると、端子２０のランスが弾性復帰してハウジング１０のランス収容溝１７に進入する。この結果、ランスの先端とランス収容溝１７の後壁との当接により、端子２０のハウジング１０からの後方側への抜けが防止される。
【００２３】
図３（ａ）に示すように、端子２０が端子収容室１１に正常に挿入されて、端子２０の箱状部２１の下面が端子収容室１１の下壁１４の内面（上面）に対面接触した状態において、図３（ｂ）に示すように、斜面１５ａ及び斜面２２ａの幅方向の隙間を「ａ」、斜面１５ｂ及び斜面２２ｂの幅方向の隙間を「ｂ」、斜面１６ａ及び斜面２３ａの幅方向の隙間を「ｃ」、斜面１６ｂ及び斜面２３ｂの幅方向の隙間を「ｄ」と定義し、図３（ｃ）に示すように、箱状部２１の左側面と端子収容室１１の左側の側壁１２の内面との間の幅方向の隙間を「ｅ」、箱状部２１の右側面と端子収容室１１の右側の側壁１２の内面との間の幅方向の隙間を「ｆ」と定義すると、「ａ＝ｃ＜ｅ、且つ、ｂ＝ｄ＜ｆ」が成立している。ここで、斜面１５ａ，２２ａ、斜面１５ｂ，２２ｂ、斜面１６ａ，２３ａ、及び、斜面１６ｂ，２３ｂは、それぞれ、互いに平行である。
【００２４】
図４（ａ）に示すように、端子２０が端子収容室１１にて左方向にズレて挿入された場合、斜面１５ａと斜面２２ａ、並びに、斜面１６ａと斜面２３ａが当接することで、斜面２２ａ，２３ａ（即ち、箱状部２１）は、斜面１５ａ，１６ａから下方向の分力を受ける。このため、斜面１５ａと斜面２２ａ、並びに、斜面１６ａと斜面２３ａが当接した状態で滑りながら箱状部２１が下方に変位する。この結果、斜面１５ａと斜面２２ａ、並びに、斜面１６ａと斜面２３ａが互いに押圧され（当接し）、且つ、箱状部２１の下面と端子収容室１１の下壁１４の内面（上面）とが互いに押圧された（当接した）状態が維持される（図４（ａ）参照）。
【００２５】
この状態では、上述した「ａ＝ｃ＜ｅ」という関係に起因して、箱状部２１の左側面と端子収容室１１の左側の側壁１２の内面との間に隙間ｇ（＞０）（図４（ａ）参照）が確保される。即ち、端子２０（箱状部２１）が端子収容室１１の左側の側壁１２に接触しない。なお、端子２０が端子収容室１１にて右方向にズレて挿入された場合においても、同様の理由（ｂ＝ｄ＜ｆ）により、端子２０（箱状部２１）が端子収容室１１の右側の側壁１２に接触しない。
【００２６】
図４（ｂ）に示すように、端子２０が端子収容室１１にて時計回りに若干傾いて挿入された場合、図４（ｂ）に示す３つの点Ｐ１，Ｐ２，Ｐ３にて端子２０の箱状部２１の角部が端子収容室１１の対応する内壁に当接することで、箱状部２１の左側面と端子収容室１１の左側の側壁１２の内面との間に隙間ｈ（＞０）（図４（ｂ）参照）が確保される。即ち、端子２０（箱状部２１）が端子収容室１１の左側の側壁１２に接触しない。なお、端子２０が端子収容室１１にて反時計回りに若干傾いて挿入された場合においても、同様の理由により、端子２０（箱状部２１）が端子収容室１１の右側の側壁１２に接触しない。
【００２７】
以上、本発明の実施形態に係る「端子とハウジングとの組付構造」（端子付きハウジング）によれば、端子収容室１１への端子２０の挿入時、端子２０の突条２２，２３が端子収容室１１の溝部１５，１６に案内されることにより、端子２０の誤挿入が抑制される。更に、端子２０が端子収容室１１の幅方向にズレたとしても、溝部１５，１６の三角形状の内壁と、端子２０の突条２２，２３の三角形状の外壁と、の係り合いにより、端子２０が端子収容室１１の下方向に変位し、端子収容室１１の下方内壁に端子２０の下方外壁が押し付けられる。その結果、端子２０の幅方向へのズレが抑制または修正され、端子２０が端子収容室１１の側壁１２に接触しにくくなる。よって、端子収容室１１の側壁１２を薄くしながら（即ち、厚さｔ（図２（ａ）参照）を小さくしながら）、更に端子２０の誤挿入検知の機能を実現できる。
【００２８】
更に、端子２０の箱状部２１が、前後方向における異なる位置に突条２２，２３を有することで、端子収容室１１の溝部１５，１６に突条２２，２３が入り込むタイミングを、突条２２，２３ごとに異ならせることができる。このため、突条２２，２３が溝部１５，１６に同時に入り込む場合に比べ、挿入開始時点に許容できる端子２０の傾きを大きくできる。よって、端子収容室１１への端子２０の挿入が容易になる。
【００２９】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３０】
上記実施形態では、端子２０の箱状部２１が、前後方向における異なる位置に突条２２，２３を有している。これに対し、端子２０の箱状部２１が、前後方向における同じ位置に突条２２，２３を有していてもよい。
【００３１】
更に、上記実施形態では、端子収容室１１の１つの内壁に２つの溝部１５，１６が設けられ、且つ、端子２０（箱状部２１）の１つの外壁に２つの突条２２，２３が設けられている。これに対し、端子収容室１１の１つの内壁に３つ以上の溝部が設けられ、且つ、端子２０（箱状部２１）の１つの外壁に３つ以上の突条が設けられてもよいし、端子収容室１１の２つ以上の内壁に跨って２つ以上の溝部が設けられ、且つ、端子２０（箱状部２１）の２つ以上の外壁に跨って２つ以上の突条が設けられてもよい。
【００３２】
ここで、上述した本発明に係る端子とハウジングの組付構造、及び、端子付きハウジングの実施形態の特徴をそれぞれ以下［１］〜［３］に簡潔に纏めて列記する。
［１］
複数の端子収容室（１１）を有するハウジング（１０）と、前記端子収容室（１１）へ挿入されて収容される端子（２０）と、を備えた、端子とハウジングとの組付構造であって、
前記ハウジング（１０）は、
前記複数の前記端子収容室（１１）の少なくとも１つの内壁に、前記端子（２０）の挿入方向に延びる断面形状が三角形である少なくとも２つの溝部（１５，１６）を、前記挿入方向に沿って並ぶように有し、
前記端子（２０）は、
当該端子（２０）の少なくとも１つの外壁に、前記挿入方向に延びる前記溝部（１５，１６）の断面形状に対応した断面形状を有する少なくとも２つの突条（２２，２３）を、前記挿入方向に沿って並ぶように有する、
端子とハウジングとの組付構造。
［２］
上記［１］に記載の組付構造において、
前記少なくとも２つの突条（２２，２３）の前記挿入方向における長さは、前記端子（２０）の前記挿入方向における長さよりも短く、
前記少なくとも２つの突条（２２，２３）は、
前記挿入方向における異なる位置に配置される、
端子とハウジングとの組付構造。
［３］
複数の端子収容室（１１）を有するハウジング（１０）と、前記端子収容室（１１）へ挿入されて収容される端子（２０）と、を備えた端子付きハウジングであって、
上記［１］又は上記［２］に記載の組付構造によって前記端子収容室（１１）へ前記端子（２０）が収容されている、
端子付きハウジング。
【符号の説明】
【００３３】
１０    ハウジング
１１    端子収容室
１５    溝部
１６    溝部
２０    端子
２２    突条
２３    突条
【図１】
2020035543.tif 000003
【図２】
2020035543.tif 000004
【図３】
2020035543.tif 000005
【図４】
2020035543.tif 000006